(57)【要約】【課題】入れた非接触型のＩＤカードが名札としての機能を十分に果たせるようにしたカードホルダーを提供すること。【解決手段】コードを伸縮自在に収納したリール本体２と、そのリール本体２から繰り出されるコードの先端に取り付けられたバンド部材３と、そのバンド部材３に取り付けられたカードケース４とからなるカードホルダーであって、リール本体２とバンド部材３を脱着バックルにより着脱可能とする。ＩＤカードを読取り装置に近づける時には脱着バックルを外してカードケース４を引っ張ればよく、読取り後はコードを収納して脱着バックルを嵌めると、リール本体２に対してカードケース４の向きが固定され、裏返ることがないことから、カードケース４に入れた非接触型のＩＤカードが名札としての機能を十分に果たす。【選択図】図１
2008264296.tif 000002
【特許請求の範囲】
【請求項１】
コードを伸縮自在に収納したリール本体と、そのリール本体から繰り出されるコードの先端に取り付けられたバンド部材と、そのバンド部材に取り付けられたカードケースとからなるカードホルダーであって、リール本体とバンド部材を脱着バックルにより着脱可能としたことを特徴とするカードホルダー。
【請求項２】
請求項１に記載のカードホルダーにおいて、リール本体にクリップを取り付けたことを特徴とするカードホルダー。
【請求項３】
請求項１に記載のカードホルダーにおいて、リール本体にネックストラップを取り付けたことを特徴とするカードホルダー。
【発明の詳細な説明】
【技術分野】
【０００１】
本発明は、名刺やＩＤカードを入れて使用するカードホルダーの技術分野に属し、特に、名札としても利用される非接触型のＩＤカードを収納するのに好適なカードホルダーに関するものである。
【背景技術】
【０００２】
近年、ＩＣチップが埋め込まれた非接触型のＩＤカードが社員証や定期券を始めとして各種イベントの参加証などとしても広く利用されている。このＩＤカードは、名札としての機能を発揮させる場合、ポケットやバッグに入れるのではなく、少なくとも前面が透明になったカードケースに入れ、そのカードケースをクリップで胸ポケットに取り付けたりストラップで首から吊り下げたりして使用される。
【０００３】
この非接触型のＩＤカードは、会社、駅、会場等の入口においてある読取り装置にカード情報を読み取らせるため、そのＩＤカードを入れたカードケースを読取り装置に近づける必要がある。このため、コードを伸縮自在に収納したリール本体をストラップやクリップに取り付け、そのリール本体から繰り出されるコードの先端にカードケースを取り付けるようにしたカードホルダーが利用されている。
【０００４】
【特許文献１】特開２００５−１５２５１１号公報
【特許文献２】特開２００５−１７７０６４号公報
【発明の開示】
【発明が解決しようとする課題】
【０００５】
上記したカードホルダーは、カードケースを引っ張るとコードが繰り出されるので、ＩＤカードを読取り装置に近づけることができ、読取り後はコードがシュルシュルと収納されるので、腰をかがめなくてもカード情報の読取りを行わせることができるという利点がある。ところが、コードがリール本体に巻き取られた収納状態において、カードケースはリール本体に対して回動するため、ＩＤカードを名札としても使用している場合に、カードケースが裏向きになって名前の表示が見えなくなるという事態が生じていた。
【０００６】
本発明は、このような問題点に鑑みてなされたものであり、その目的とするところは、カードホルダーに入れた非接触型のＩＤカードが名札としての機能を十分に果たせるようにしたカードホルダーを提供することにある。
【課題を解決するための手段】
【０００７】
上記の目的を達成するため、本発明のカードホルダーは、コードを伸縮自在に収納したリール本体と、そのリール本体から繰り出されるコードの先端に取り付けられたバンド部材と、そのバンド部材に取り付けられたカードケースとからなるカードホルダーであって、リール本体とバンド部材を脱着バックルにより着脱可能としたことを特徴とする。
【０００８】
そして、上記のカードホルダーにおいて、リール本体にクリップを取り付けた形態としてもよいし、リール本体にネックストラップを取り付けた形態としてもよく、両者を取り付けた形態としてもよい。
【発明の効果】
【０００９】
本発明のカードホルダーは、コードを伸縮自在に収納したリール本体と、そのリール本体から繰り出されるコードの先端に取り付けられたバンド部材と、そのバンド部材に取り付けられたカードケースとからなるカードホルダーであって、リール本体とバンド部材を脱着バックルにより着脱可能としたことを特徴としているので、ＩＤカードを読取り装置に近づける時には脱着バックルを外してカードケースを引っ張ればよく、読取り後はコードを収納して脱着バックルを嵌めると、リール本体に対してカードケースの向きが固定され、裏返ることがないことから、カードケースに入れた非接触型のＩＤカードが名札としての機能を十分に果たすことができる。
【発明を実施するための最良の形態】
【００１０】
以下、具体例を挙げて本発明の実施の形態について説明する。
【００１１】
図１は本発明に係るカードホルダーの一例を示す正面図、図２は図１のカードホルダーの側面図であり、図３は図１及び図２のカードホルダーを構成するリール本体とバンド部材の接続状態を裏側から見た状態で示す説明図である。
【００１２】
このカードホルダーは、コード１を伸縮自在に収納したリール本体２と、そのリール本体２から繰り出されるコード１の先端に取り付けられたバンド部材３と、そのバンド部材３に取り付けられたカードケース４とからなる。そして、図３に示すように、リール本体２とバンド部材３は、リール本体２側の雌連結部５とバンド部材３側の雄連結部６とで構成される脱着バックルにより着脱可能になっている。また、カードケース４は少なくとも前面が透明である。
【００１３】
リール本体２は、プラスチック成形品からなるケースの中にコード１を伸縮自在に収納しており、そのコード１を雌連結部５の中を通して繰り出すようになっている。また、背面側に回転クリップ７を備えており、その回転クリップ７には安全ピン８が取り付けられている。また、これらに加えて、図１の点線で示すように、ネックストラップ９を取り付けてあってもよいし、ネックストラップ９だけを取り付けるようにしても構わない。
【００１４】
バンド部材３は、全体が一つのプラスチック成形品からなり、中央部１０の両側にそれぞれリール本体２の雌連結部５に接続する雄連結部６とカードケース４を取り付けるための湾曲部１１を有する形状で、雄連結部６にリール本体２からのコード１の先端が取り付けられている。湾曲部１１は中央部９から延びる薄い板状のもので、カードケース４のスリットに通した後、湾曲させて先端の孔１１ａと突起１１ｂをそれぞれ中央部１０の突起１０ａと孔１０ｂに嵌合固定できるようになっている。
【００１５】
このカードホルダーは、カードケース４の中に社員証、参加証などの名前を書いた名札兼用の非接触型ＩＤカードを入れて使用する。すなわち、回転クリップ７で胸ポケットに止めるか、安全ピン８で服の任意の場所に取り付けるか、或いはネックストラップで首から吊り下げて名札として使う。この場合、コード１を引き出さずに脱着バックルを固定状態にしてあるので、リール本体２に対してカードケース４の向きが固定されており、カードケース４が裏返ることがない。また、会社や会場の入口などでＩＤカードを読取り装置に近づける時には、雌連結部５の突出部分５ａを押すことで、雄連結部５と雌連結部６の係合状態を解いて脱着バックルを外し、そのままカードケース４を引っ張ればよく、読取り後はコード１を自動的に巻き戻させて収納させるとよい。そして、雄連結部５を雌連結部６に係合させて脱着バックルを元の嵌合状態に戻すと、リール本体２に対してカードケースの向きが固定され、名札として使用している間に裏返るようなことがない。
【００１６】
以上、具体例を挙げて本発明を説明したが、本発明によるカードホルダーは、上記の例に何ら限定されるものではなく、本発明の趣旨を逸脱しない範囲において種々の変更が可能であることは言うまでもない。
【図面の簡単な説明】
【００１７】
【図１】本発明に係るカードホルダーの一例を示す正面図である。
【図２】図１のカードホルダーの側面図である。
【図３】図１及び図２のカードホルダーを構成するリール本体とバンド部材の接続状態を裏側から見た状態で示す説明図である。
【符号の説明】
【００１８】
１  コード
２  リール本体
３  バンド部材
４  カードケース
５  雌連結部
６  雄連結部
７  回転クリップ
８  安全ピン
９  ネックストラップ
１０  中央部
１０ａ  突起
１０ｂ  孔
１１  湾曲部
１１ａ  孔
１１ｂ  突起
【図１】
2008264296.tif 000003
【図２】
2008264296.tif 000004
【図３】
2008264296.tif 000005